【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
容器を収容するための空洞を包囲する筐体と、
筐体の第一外面上で筐体の一部分に沿って長手方向に延在する第一オーバーモールド把持面と、
筐体の第二外面上で筐体の一部分に沿って長手方向に延在する第二オーバーモールド把持面と
を含み、第一外面と第二外面は、筐体の両側にそれぞれ位置している、自動注射装置。
【請求項２】
筐体上の第一および第二オーバーモールド把持面が、自動注射装置の把持および操作を容易にするための１つ以上の溝および／または隆起を含む、請求項１に記載の自動注射装置。
【請求項３】
筐体上の第一および第二オーバーモールド把持面が第一触感を有する第一材料で形成され、筐体上の非把持面は第二触感を有する第二材料で形成されている、請求項１に記載の自動注射装置。
【請求項４】
筐体上の第一および第二オーバーモールド把持面が第一硬度を有する第一材料で形成され、筐体上の非把持面はより硬い第二硬度を有する第二材料で形成されている、請求項１に記載の自動注射装置。
【請求項５】
筐体上の第一および第二オーバーモールド把持面が、筐体上の非把持面とは異なる色を有する、請求項１に記載の自動注射装置。
【請求項６】
容器と結合可能な注射針を保護的に被覆するための取り外し可能遠位キャップであって、遠位キャップの外面は遠位キャップの把持および取り外しを容易にするためのオーバーモールド把持面を含む、遠位キャップをさらに含む、請求項１に記載の自動注射装置。
【請求項７】
遠位キャップの外面が、遠位キャップの把持および取り外しを容易にするための１つ以上の溝および／または隆起を含む、請求項６に記載の自動注射装置。
【請求項８】
筐体の開口から突出して、ユーザによる発射ボタンの作動を容易にするためのオーバーモールド接触面を含む、発射ボタンをさらに含む、請求項１に記載の自動注射装置。
【請求項９】
発射ボタンが装置の長手軸に対して直交する横軸に沿って配置される、請求項８に記載の自動注射装置。
【請求項１０】
発射ボタンに隣接して設けられた陥凹面をさらに含む、請求項９に記載の自動注射装置。
【請求項１１】
陥凹面が発射ボタンを包囲するように設けられている、請求項１０に記載の自動注射装置。
【請求項１２】
自動注射装置の近位末端を被覆するための近位終端部であって、オーバーモールド外面を有する近位終端部をさらに含む、請求項１に記載の自動注射装置。
【請求項１３】
近位終端部の上面が、自動注射装置の把持を案内して容易にするための陥凹面を含む、請求項１２に記載の自動注射装置。
【請求項１４】
容器の内容物の検査を可能にするために筐体に設けられた透明検査窓をさらに含む、請求項１に記載の自動注射装置。
【請求項１５】
注入の最後に、検査窓が視覚標識で満たされる、請求項１４に記載の自動注射装置。
【請求項１６】
ユーザの手によって把持されるように構成された装置の近位部分が、ユーザの手による近位部分の人間工学的かつ確実な把持のために、前面および反対側の裏面が平坦であって、第一および第二側面は凸状である、不規則な管状形状を有する、請求項１に記載の自動注射装置。
【請求項１７】
第一および第二オーバーモールド把持面が、装置の近位部分に設けられ、第一および第二側面の部分を横切って延在する、請求項１６に記載の自動注射装置。
【請求項１８】
筐体が、その内部に空洞を画定するために協調的に係合した複数の筐体部品を含む、請求項１に記載の自動注射装置。
【請求項１９】
容器が１回投与分のＴＮＦ阻害薬を保持する、請求項１に記載の自動注射装置。
【請求項２０】
ＴＮＦ阻害薬がアダリムマブである、請求項１９に記載の自動注射装置。
【請求項２１】
自動注射装置を組み立てる方法であって、
容器を収容するための空洞を包囲する筐体を提供するステップと、
筐体上で、筐体の第一外面上に筐体の一部分に沿って長手方向に延在する第一把持面をオーバーモールドするステップと、
筐体上で、第一外面の反対側の筐体の第二外面上で筐体の一部分に沿って長手方向に延在する第二把持面をオーバーモールドするステップと、を含む方法。
【請求項２２】
筐体上の第一および第二把持面が、自動注射装置の把持および操作を容易にするための１つ以上の溝および／または隆起を含む、請求項２１に記載の方法。
【請求項２３】
筐体上の第一および第二把持面が第一触感を有する第一材料で形成され、筐体上の非把持面は第二触感を有する第二材料で形成される、請求項２１に記載の方法。
【請求項２４】
筐体上の第一および第二オーバーモールド把持面が第一硬度を有する第一材料で形成され、筐体上の非把持面はより硬い第二硬度を有する第二材料で形成される、請求項２１に記載の方法。
【請求項２５】
遠位キャップの把持および取り外しを容易にするために遠位キャップの外面に把持面をオーバーモールドするステップと、
注射針を保護的に被覆するために筐体の遠位末端に遠位キャップを結合するステップと、をさらに含む、請求項２１に記載の方法。
【請求項２６】
遠位キャップの外面が、遠位キャップの把持および取り外しを容易にするための１つ以上の溝および／または隆起を含む、請求項２５に記載の方法。
【請求項２７】
発射ボタンの起動を容易にするために発射ボタン上に把持面をオーバーモールドするステップと、
発射ボタンの一部が筐体の開口から突出するように、空洞内に発射ボタンを設けるステップと、をさらに含む、請求項２１に記載の方法。
【請求項２８】
発射ボタンが装置の長手軸に対して直交する横軸に沿って配置される、請求項２７に記載の方法。
【請求項２９】
発射ボタンに当接する陥凹面を形成するステップをさらに含む、請求項２７に記載の方法。
【請求項３０】
陥凹面が発射ボタンを包囲するように設けられている、請求項２９に記載の方法。
【請求項３１】
近位終端部の外面に把持面をオーバーモールドするステップと、
筐体の近位末端に近位終端部を結合するステップと、をさらに含む、請求項２１に記載の方法。
【請求項３２】
近位終端部の上面が、自動注射装置の把持を容易にするための陥凹面を含む、請求項３１に記載の方法。
【請求項３３】
容器を収容するための空洞を包囲する筐体を含む自動注射装置であって、筐体は、
第一オーバーモールド把持領域と、
第二オーバーモールド把持領域と、
第一および第二オーバーモールド把持領域に当接する陥凹領域と、を含む、自動注射装置。
【請求項３４】
筐体の陥凹領域が筐体の第一および第二オーバーモールド把持領域の間に設けられている、請求項３３に記載の自動注射装置。
【請求項３５】
陥凹領域における筐体の幅が、第一オーバーモールド把持領域における筐体の幅および第二オーバーモールド把持領域における筐体の幅よりも狭い、請求項３３に記載の自動注射装置。
【請求項３６】
筐体の陥凹領域が把持面を備えていない、請求項３３に記載の自動注射装置。
【請求項３７】
第一オーバーモールド把持領域が、把持面でオーバーモールドされている外面を有する筐体の近位終端部によって形成されている、請求項３３に記載の自動注射装置。
【請求項３８】
筐体の第二オーバーモールド把持領域が先細管状構造を有する、請求項３３に記載の自動注射装置。
【請求項３９】
筐体が、ユーザの手によって把持されるように構成された近位部分と、ユーザに注射を行うように構成された遠位部分と有し、筐体の近位部分は、前面及び反対の後面が平坦で、第一及び第二側面が凸状の、不規則な管状形状を有している、請求項１に記載の自動注射装置。
【請求項４０】
第一オーバーモールド把持面が、凸状第一側面に位置しており、第２のオーバーモールド把持面が、凸状第二側面に位置している、請求項３９に記載の自動注射装置。
【請求項４１】
近位部分の前面又は後面に位置している発射ボタンをさらに含む、請求項１に記載の自動注射装置。